(57)【要約】      （修正有）【課題】口腔内の骨の切削物を他の部分に触れることがなく採取できる簡略構成の歯科用骨の切削採取装置を提供する。【解決手段】一端が開口し、他端である底部側に採骨領域との当接面６ａ及び前記切削バー２の挿通孔６ｂを有し底部外方に切削刃４を突出させるとともに、開口側肉厚部に切削バー２の長さ方向及びこれと直交する方向に連なるＬ状案内溝部６ｃを設けた有底円筒状の容器６と、容器６の内底部に配置した切削バー２用の軸支部１１と、この軸支部１１上に配置したバネ受体１２と、抑え鍔部５とバネ受体１２との間に配置したコイルバネ体１３と、切削バー２が回転可能に貫通する貫通孔１０ａ及び及び骨片の収容空間１４を形成する採取孔部１０ｂを具備し、容器６の開口内に着脱可能に密着嵌装されて切削バー２にコイルバネ体１３による開口側への付勢力を付与しつつその位置規制を行う円筒状の装着体６と、を有する。【選択図】図１
0003128636.tif 000002
【実用新案登録請求の範囲】
【請求項１】
一端に回転駆動ヘッドへの装着部を具備し、他端に骨片移送溝付きの切削刃を備え、切削刃と所定の間隔を隔てた棒状部分に円板状の抑え鍔部を配置した棒状の切削バーと、
一端が開口し、他端である底部側に採骨領域との当接面及び前記切削バーの挿通孔を有し底部外方に前記切削刃を突出させるとともに、開口側肉厚部に切削バーの長さ方向及びこれと直交する方向に連なるＬ状案内溝部を設けた有底円筒状の容器と、
この容器の内底部に前記切削刃が回転可能に貫通する状態で嵌着した切削バー用の軸支部と、
この軸支部上に前記切削バーが中心部を貫通する状態で、かつ、前記抑え鍔部と対向する状態で配置したバネ受体と、
前記抑え鍔部とバネ受体との間に配置したバネ体と、
中心部に前記切削バーが回転可能に貫通する貫通孔を有し、底部側に前記バネ受体との間で前記切削刃により採骨領域から切削され、骨片移送溝により移送されてくる骨片の収容空間を形成する採取孔部を有し、側壁に取り付けたＬ状の把持部を前記Ｌ状案内溝部に係合させつつ前記容器の開口内に着脱可能に密着嵌装され、前記採取孔部の最深部に前記抑え鍔部を当接させて前記切削バーにバネ体による開口側への付勢力を付与しつつその位置規制を行う円筒状の装着体と、
を有することを特徴とする歯科用骨の切削採取装置。
【請求項２】
一端に回転駆動ヘッドへの装着部を具備し、他端に骨片移送溝付きの切削刃を備え、切削刃と所定の間隔を隔てた棒状部分に円板状の抑え鍔部を配置した棒状の切削バーと、
一端が開口し、他端である底部側に採骨領域との当接面及び前記切削バーの挿通孔を有し底部外方に前記切削刃を突出させるとともに、開口側肉厚部に切削バーの長さ方向及びこれと直交する方向で円周方向に１２０度の範囲で連なるＬ状案内溝部を設けた有底円筒状の容器と、
この容器の内底部に前記切削刃が回転可能に貫通する状態で嵌着した切削バー用の軸支部と、
この軸支部上に前記切削バーが中心部を貫通する状態で、かつ、前記抑え鍔部と対向する状態で配置した中心部周辺に凹陥部を有する円盤状のバネ受体と、
前記抑え鍔部とバネ受体の凹陥部との間に配置したコイルバネ体と、
中心部に前記切削バーが回転可能に貫通する貫通孔を有し、底部側に前記バネ受体との間で前記切削刃により採骨領域から切削され、骨片移送溝により移送されてくる骨片の収容空間を形成する前記貫通孔より大径の採取孔部を有し、側壁に取り付けたＬ状の把持部を前記Ｌ状案内溝部に係合させつつ前記容器の開口内に着脱可能に密着嵌装され、前記採取孔部の最深部に前記抑え鍔部を当接させて前記切削バーにコイルバネ体による開口側への付勢力を付与しつつその位置規制を行う円筒状の装着体と、
を有することを特徴とする歯科用骨の切削採取装置。
【請求項３】
一端に回転駆動ヘッドへの装着部を具備し、他端に骨片移送溝付きの切削刃を６ｍｍ又は９ｍｍの寸法で備え、切削刃と所定の間隔を隔てた棒状部分に円板状の抑え鍔部を配置した棒状で全長３６ｍｍ又は３３ｍｍとした切削バーと、
一端が開口し、他端である底部側に採骨領域との当接面及び前記切削バーの挿通孔を有し底部外方に前記切削刃を突出させるとともに、開口側肉厚部に切削バーの長さ方向及びこれと直交する方向で円周方向に１２０度の範囲で連なるＬ状案内溝部を設けた有底円筒状の容器と、
この容器の内底部に前記切削刃が回転可能に貫通する状態で嵌着した切削バー用の軸支部と、
この軸支部上に前記切削バーが中心部を貫通する状態で、かつ、前記抑え鍔部と対向する状態で配置した中心部周辺に凹陥部を有する円盤状のバネ受体と、
前記抑え鍔部とバネ受体の凹陥部との間に配置したコイルバネ体と、
中心部に前記切削バーが回転可能に貫通する貫通孔を有し、底部側に前記バネ受体との間で前記切削刃により採骨領域から切削され、骨片移送溝により移送されてくる骨片の収容空間を形成する前記貫通孔より大径の採取孔部を有し、側壁に取り付けたＬ状の把持部を前記Ｌ状案内溝部に係合させつつ前記容器の開口内に着脱可能に密着嵌装され、前記採取孔部の最深部に前記抑え鍔部を当接させて前記切削バーにコイルバネ体による開口側への付勢力を付与しつつ前記切削バーの切削刃を前記容器の挿通孔からセット時４ｍｍ、最大で６ｍｍ又はセット時１ｍｍ、最大で４ｍｍ分突出する状態に位置規制を行う円筒状の装着体と、
を有することを特徴とする歯科用骨の切削採取装置。
【考案の詳細な説明】
【技術分野】
【０００１】
本考案は、歯科用骨の切削採取装置に関し、詳しくは、歯科治療の分野において口腔内部の骨を切削して採取する歯科用骨の切削採取装置に関するものである。
【背景技術】
【０００２】
歯科治療の分野において、例えば虫歯や歯槽膿漏などで天然歯を無くした場合、インプラントの固定等の目的で、顎骨等を切削し孔を開けることが行われる。
【０００３】
このような顎骨等を切削し孔を開ける手段として、従来においては切削バー又はチゼル、ノミ等を用いて顎骨等を切削し骨片（又は骨粉）を採取することが行われているが、この場合には切削物が口腔内の顎部や歯茎等に触れ衛生面で好ましくない。
【０００４】
特許文献１には、このような目的に対処するために、切削バーを挿通する吸引ヘッドの吸入口を顎骨等の採骨面に対向させる構造であり、吸引ヘッドの内空と連通する位置に開閉構造としたフィルター内蔵部を設け、フィルター内蔵部に対して吸引手段に連なる吸引ホースに接続し、切削バーにより切削した粒状の骨を吸引してフィルター内蔵部に収容し、その内部に溜まった粒状の骨を外部に取り出し可能とした骨の切削吸入採取器が提案されている。
【０００５】
この特許文献１の場合、切削バー用の駆動ヘッド、切削吸入採取器の他に、切削吸入採取器に吸引ホースを介して吸引手段を接続することが不可欠であり、全体として構成が複雑化する。
【特許文献１】特開２００４−３２９３１２号公報
【考案の開示】
【考案が解決しようとする課題】
【０００６】
本考案が解決しようとする問題点は、口腔内の骨の切削物が他の部分に触れることがなく、また、吸引手段等を必要としない簡略構成の歯科用骨の切削採取装置が存在しない点である。
【課題を解決するための手段】
【０００７】
本考案の歯科用骨の切削採取装置は、一端に回転駆動ヘッドへの装着部を具備し、他端に骨片移送溝付きの切削刃を備え、切削刃と所定の間隔を隔てた棒状部分に円板状の抑え鍔部を配置した棒状の切削バーと、一端が開口し、他端である底部側に採骨領域との当接面及び前記切削バーの挿通孔を有し底部外方に前記切削刃を突出させるとともに、開口側肉厚部に切削バーの長さ方向及びこれと直交する方向に連なるＬ状案内溝部を設けた有底円筒状の容器と、該容器の内底部に前記切削刃が回転可能に貫通する状態で嵌着した切削バー用の軸支部と、該軸支部上に前記切削バーが中心部を貫通する状態で、かつ、前記抑え鍔部と対向する状態で配置したバネ受体と、前記抑え鍔部とバネ受体との間に配置したバネ体と、中心部に前記切削バーが回転可能に貫通する貫通孔を有し、底部側に前記バネ受体との間で前記切削刃により採骨領域から切削され、骨片移送溝により移送されてくる骨片の収容空間を形成する採取孔部を有し、側壁に取り付けたＬ状の把持部を前記Ｌ状案内溝部に係合させつつ前記容器の開口内に着脱可能に密着嵌装され、前記採取孔部の最深部に前記抑え鍔部を当接させて前記切削バーにバネ体による開口側への付勢力を付与しつつその位置規制を行う円筒状の装着体と、を有することを最も主要な特徴とする。
【考案の効果】
【０００８】
請求項１記載の考案によれば、この歯科用骨の切削採取装置容器を組み上げ状態とし、容器の底部側に設けた当接面を口腔内の顎骨等の採骨領域に接触させるとともに容器の挿通孔から切削バーの切削刃を突出させ、回転駆動ヘッドにより切削バーを回転駆動することにより、切削刃により切削された骨片が骨片移送溝を経て装着体内部の収容空間へ移送されて収容されるので、吸引手段等を必要としない簡略構成でありながら口腔内の骨の切削物である骨片を口腔内の他の部分に触れることなく収容空間へ的確に蓄積できる歯科用骨の切削採取装置を提供することができる。また、装着体に取り付けた把持部を容器のＬ状案内溝部に係合させつつ操作することで装着体を容器から外し、収容空間内の切削物である骨片を廃棄することも簡略に行うことができる。
【０００９】
請求項２記載の考案によれば、請求項１記載の考案と同様な構成で、かつ、バネ体としてコイルバネ体を用い、容器のＬ状案内溝部を切削バーの長さ方向及びこれと直交する方向で円周方向に１２０度の範囲で連なる形状として、請求項１記載の考案と同様、吸引手段等を必要としない簡略構成でありながら口腔内の骨の切削物である骨片を口腔内の他の部分に触れることなく収容空間へ的確に蓄積できる歯科用骨の切削採取装置を提供することができる。また、装着体に取り付けた把持部を容器のＬ状案内溝部に係合させつつ操作することで装着体を容器から外し、収容空間内の切削物である骨片を廃棄することも簡略に行うことができる。
【００１０】
請求項３記載の考案によれば、請求項２記載の考案と同様な構成で、かつ、切削バーとして全長３６ｍｍ又は３３ｍｍとした切削バーを使用し、装着体により前記切削バーの切削刃を前記容器の挿通孔からセット時４ｍｍ、最大で６ｍｍ又はセット時１ｍｍ、最大で４ｍｍ分突出する状態に位置規制を行う構成として、請求項２記載の考案と同様、吸引手段等を必要としない簡略構成でありながら口腔内の骨の切削物である骨片を口腔内の他の部分に触れることなく収容空間へ的確に蓄積できる歯科用骨の切削採取装置を提供することができる。また、装着体に取り付けた把持部を容器のＬ状案内溝部に係合させつつ操作することで装着体を容器から外し、収容空間内の切削物である骨片を廃棄することも簡略に行うことができる。加えて、切削バーにおける切削刃の容器の挿通孔からの突出長さをセット時４ｍｍ、最大で６ｍｍ又はセット時１ｍｍ、最大で４ｍｍのいずれかに選定できるので、顎骨等に対する切削深さの目的に応じて深浅いずれかとすることができる。
【考案を実施するための最良の形態】
【００１１】
本考案は、口腔内の骨の切削物が他の部分に触れることがなく、また、吸引手段等を必要としない簡略構成の歯科用骨の切削採取装置を提供するという目的を、一端に回転駆動ヘッドへの装着部を具備し、他端に骨片移送溝付きの切削刃を６ｍｍ又は９ｍｍの寸法で備え、切削刃と所定の間隔を隔てた棒状部分に円板状の抑え鍔部を配置した棒状で全長３６ｍｍ又は３３ｍｍとした切削バーと、一端が開口し、他端である底部側に採骨領域との当接面及び前記切削バーの挿通孔を有し底部外方に前記切削刃を突出させるとともに、開口側肉厚部に切削バーの長さ方向及びこれと直交する方向で円周方向に１２０度の範囲で連なるＬ状案内溝部を設けた有底円筒状の容器と、該容器の内底部に前記切削刃が回転可能に貫通する状態で嵌着した切削バー用の軸支部と、該軸支部上に前記切削バーが中心部を貫通する状態で、かつ、前記抑え鍔部と対向する状態で配置した中心部周辺に凹陥部を有する円盤状のバネ受体と、前記抑え鍔部とバネ受体の凹陥部との間に配置したコイルバネ体と、中心部に前記切削バーが回転可能に貫通する貫通孔を有し、底部側に前記バネ受体との間で前記切削刃により採骨領域から切削され、骨片移送溝により移送されてくる骨片の収容空間を形成する前記貫通孔より大径の採取孔部を有し、側壁に取り付けたＬ状の把持部を前記Ｌ状案内溝部に係合させつつ前記容器の開口内に着脱可能に密着嵌装され、前記採取孔部の最深部に前記抑え鍔部を当接させて前記切削バーにコイルバネ体による開口側への付勢力を付与しつつ前記切削バーの切削刃を前記容器の挿通孔からセット時４ｍｍ、最大で６ｍｍ又はセット時１ｍｍ、最大で４ｍｍ分突出する状態に位置規制を行う円筒状の装着体と、を有する構成により実現した。
【実施例】
【００１２】
以下に、本考案の実施例に係る歯科用骨の切削採取装置１について図１乃至図７を参照して詳細に説明する。
【００１３】
本実施例に係る歯科用骨の切削採取装置１は、歯科治療の分野において、口腔内部の顎骨４０等を切削バー２により切削し骨片（又は骨粉）としてこの歯科用骨の切削採取装置１自体の内部に採取するものである。
【００１４】
すなわち、歯科用骨の切削採取装置１は、図１、図２、図５又は図６に示すように、丸棒状に形成した切削バー２を有し、その一端にこの切削バー２を回転駆動するための回転駆動ヘッド３０への装着部２ａを設け、他端に骨片移送溝３付きの切削刃４を備え、更に切削刃４と所定の間隔を隔てた棒状部分に円板状の抑え鍔部５を切削バー２の長さ方向と直交する配置に取り付けている。
【００１５】
前記切削バー２の寸法としては、例えば図５に示す大寸法の切削バー２の場合、全長Ｌ＝３６ｍｍ、切削刃２の寸法Ｌａ＝９ｍｍのもの、又は、図６に示す小寸法の切削バー２の場合、全長Ｌ＝３３ｍｍ、切削刃２の寸法Ｌａ＝６ｍｍのものを顎骨４０等に対する切削深さの目的に応じて使い分けるようにしている。
また、前記骨片移送溝３は、例えば切削刃４の外周部分に螺旋状の溝を刻むことにより形成している。
【００１６】
前記歯科用骨の切削採取装置１は、前記切削バー２、及び後述するような円筒状の装着体１０、切削バー２用の軸支部１１、円盤状のバネ受体１２、バネ体であるコイルバネ体１３等を着脱可能に収容する例えば透明樹脂材料により形成した有底円筒状の容器６を有している。
【００１７】
更に詳述すると、容器６は、図３にも示すように、一端（上端）が開口し、他端である底部側に採骨領域（口腔内部の顎骨４０等）との当接面６ａ及び前記切削バー２の挿通孔６ｂを有し、底部外方に前記切削刃４の先端側を突出させるとともに、開口側肉厚部に切削バー２の長さ方向及びこれと直交する方向に連なるＬ状案内溝部６ｃを設けている。このＬ状案内溝部６ｃは、例えば容器６の上端縁から切削バー２の長さ方向に所定寸法（数ｍｍ）、これと直交する方向で円周方向に中心から見て１２０度の範囲にわたって設けている。
【００１８】
また、前記容器６の内底部には、前記切削刃４が回転可能に貫通する状態で切削バー２用の軸支部１１を嵌着するとともに、該軸支部１１上に前記切削バー２が中心部を貫通する状態で、かつ、前記抑え鍔部５と対向する状態で中心部周辺に凹陥部１２ａを有する円盤状のバネ受体１２を配置している。更に、前記抑え鍔部５とバネ受体１２の凹陥部１２ａとの間に例えばステンレス製のコイルバネ体１３を配置するようになっている。
【００１９】
前記装着体１０は、図４にも示すように、中心部に前記切削バー２が回転可能に貫通する貫通孔１０ａを有し、底部側に前記バネ受体１２との間で前記切削刃４の回転により採骨領域から切削され、骨片移送溝３により移送されてくる骨片の収容空間１４を形成する前記貫通孔１０ａより大径の採取孔部１０ｂを有し、全体として円筒状に形成している。
【００２０】
また、前記装着体１０は、側壁に設けた横孔１０ｃに取り付けたＬ状の把持部１５を前記容器６に設けたＬ状案内溝部６ｃに係合させつつ前記容器６の開口内に着脱可能に密着嵌装され、前記採取孔部１０ｂの最深部に前記抑え鍔部５の上面を当接させて、これにより、前記切削バー２に対してコイルバネ体１３による容器６の開口側への付勢力を付与しつつその位置規制を行うように構成している。
【００２１】
すなわち、前記容器６の内底部に軸支部１１を嵌着し、軸支部１１上にバネ受体１２を配置し、バネ受体１２上にコイルバネ体１３を配置し、抑え鍔部５を取り付けた切削バー２の切削刃４側を前記抑え鍔部５をコイルバネ体１３に接触させつつバネ受体１２、挿通孔６ｂを貫く状態に配置し、この状態で、前記把持部１５を指で摘まみつつ装着体１０を容器６の開口側から内部に嵌装する。
【００２２】
このとき、把持部１５を容器６に設けたＬ状案内溝部６ｃのまず切削バー２の長さ方向に沿う部分に入れて下降させ、次いでＬ状案内溝部６ｃの長さ方向と直交する方向の部分に沿って把持部１５を装着体１０とともに１２０度回動させることで、装着体１０は図２に示す状態となり、これにより、装着体１０は前記切削バー２に対してコイルバネ体１３による容器６の開口側への付勢力を付与しつつ容器６内に固定配置される状態となる。
【００２３】
この場合、前記切削バー２として図５に示す全長３６ｍｍのものを使用する時には、前記切削刃４の前記容器６の挿通孔６ｂからの図２に示す突出長Ｌｂはセット時４ｍｍ、最大で６ｍｍとし、また、前記切削バー２として図６に示す全長３３ｍｍのものを使用する場合には、セット時１ｍｍ、最大で４ｍｍ分突出する状態とし、顎骨４０等に対する切削深さの目的に応じて深浅いずれかに使い分けるようにしている。
【００２４】
次に、本実施例に係る歯科用骨の切削採取装置１による口腔内部の顎骨４０に対する切削採取動作について説明する。
【００２５】
まず、図１、図２に示すように、前記容器６の内底部に軸支部１１を嵌着し、軸支部１１上にバネ受体１２を配置し、バネ受体１２上にコイルバネ体１３を配置し、抑え鍔部５を取り付けた切削バー２の切削刃４側を前記抑え鍔部５をコイルバネ体１３に接触させつつバネ受体１２、挿通孔６ｂを貫く状態に配置し、この状態で、前記把持部１５を指で摘まみつつ装着体１０を容器６の開口側から内部に嵌装する。このとき、把持部１５を容器６に設けたＬ状案内溝部６ｃのまず切削バー２の長さ方向に沿う部分に入れて下降させ、次いでＬ状案内溝部６ｃの長さ方向と直交する方向に沿って把持部１５を装着体１０とともに１２０度回動させることで装着体１０を容器６内に固定配置して本実施例に係る歯科用骨の切削採取装置１を組み上げる。
【００２６】
次に、図７の上欄に示すように、回転駆動ヘッド３０を切削バー２の装着部２ａに装着し、容器６の底部側に設けた当接面６ａを口腔内の歯茎４１に連なる顎骨４０等の採骨領域に接触させるとともに容器６の挿通孔６ｂから突出する切削バー２の切削刃４を顎骨４０等の目的箇所に当てる。
【００２７】
この状態で、回転駆動ヘッド３０を始動し、切削バー２を回転駆動することにより、切削刃４により切削された骨片４０ａが骨片移送溝３を経て装着体１０内部の収容空間１４へ移送されて収容され、徐々に蓄積する。
【００２８】
このような動作により、従来例のような吸引手段等を必要としない簡略構成でありながら、口腔内の顎骨４０の切削物である骨片４１ａを口腔内の他の部分に触れることのない衛生面に優れた態様で前記収容空間１４へ的確に収容し蓄積することができる。
【００２９】
切削採取作業が終了した後、図７の第２欄、第３欄に示すように、回転駆動ヘッド３０を切削バー２の装着部２ａから取り外し、更に、装着体１０に取り付けた把持部１５を指等で摘まみ、容器６のＬ状案内溝部６ｃに係合させつつ組み上げ時と逆の順に操作することで、装着体１０を切削バー２とともに容器６から取り外す。
【００３０】
これにより、図７の下欄に示すように、容器６内に蓄積された骨片４０ａを外部に廃棄することを簡略に行うことができる。
【産業上の利用可能性】
【００３１】
本考案は、上述した場合の他、歯科治療の分野広範に利用することができる。
【図面の簡単な説明】
【００３２】
【図１】本考案の実施例に係る歯科用骨の切削採取装置の外観を示す正面図である。
【図２】本実施例に係る歯科用骨の切削採取装置の概略断面図である。
【図３】本実施例に係る歯科用骨の切削採取装置の容器を示す概略斜視図である。
【図４】本実施例に係る歯科用骨の切削採取装置の装着体示す断面図である。
【図５】本実施例に係る歯科用骨の切削採取装置の全長が大きい切削バー、抑え鍔部、バネ受体、コイルバネ体を示す正面図である。
【図６】本実施例に係る歯科用骨の切削採取装置の全長が小さい切削バー、抑え鍔部、バネ受体、コイルバネ体を示す正面図である。
【図７】本実施例に係る歯科用骨の切削採取装置の具体的な使用状態を示す説明図である。
【符号の説明】
【００３３】
１    歯科用骨の切削採取装置
２    切削バー
２ａ  装着部
３    骨片移送溝
４    切削刃
５    抑え鍔部
６    容器
６ａ  当接面
６ｂ  挿通孔
６ｃ  Ｌ状案内溝部
１０    装着体
１０ａ  貫通孔
１０ｂ  採取孔部
１０ｃ  横孔
１１    軸支部
１２    バネ受体
１２ａ  凹陥部
１３    コイルバネ体
１４    収容空間
１５    把持部
３０    回転駆動ヘッド
４０    顎骨
４０ａ  骨片
４１    歯茎
【図１】
0003128636.tif 000003
【図２】
0003128636.tif 000004
【図３】
0003128636.tif 000005
【図４】
0003128636.tif 000006
【図５】
0003128636.tif 000007
【図６】
0003128636.tif 000008
【図７】
0003128636.tif 000009